【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】
主回路電流に応動して湾曲するバイメタルと、このバイメタルの変位を伝達する連動板と、連動板より加えられる力で接点の開閉状態を反転させる動作機構部と、接点の開閉状態が反転する位置を調整することができる調整機構を備えた熱動式過電流継電器において、
予め定められた量だけ調整機構を変化させた仮想位置２点で所定の電流を通電し、上記熱動式過電流継電器の接点が反転するまでの動作時間を測定する工程と、この仮想位置２点における動作時間の比と、仮想位置２点それぞれにおける動作時間と最小動作電流の関係式の比とが、略等しい値となる最小動作電流値を算出する工程と、
この最小動作電流値より、上記熱動式過電流継電器が整定電流に応じた規定の時間及び電流値の範囲内で動作する調整機構の真位置を求める工程と、
を備えたことを特徴とする熱動式過電流継電器の電調方法。
【請求項２】
仮想位置２点における最小動作電流の比である定数ｘ、及び仮想位置における最小動作電流Ｉ０を予め想定し、該想定値に基づき所定式にて得られた値と、測定された仮想位置２点の動作時間の比と、を照らし合わせることで、上記定数ｘ及びＩ０の最適なパターンを選び出し、２点の真位置を決定することを特徴とする熱動式過電流継電器の電調方法。
【請求項３】
ｌｎ｛１−（ｘＩ０／２ＩＬ）２｝／ｌｎ｛１−（Ｉ０／２ＩＭ）２｝の所定式に基づき得られた値と比較することを特徴とする請求項２に記載の熱動式過電流継電器の電調方法。
【請求項４】
主回路電流に応動して湾曲するバイメタルが飽和状態になるまで整定電流を通電した状態でその先端位置を調整する工程と、
冷却後、調整機構の調整により強制的に接点が反転する０点トリップ位置を検出する工程と、
この０点トリップ位置より、仮想最小目盛位置にセットすべく所定角度上記調整機構を回動させ、該仮想最小目盛位置において所定の電流を通電し、上記熱動式過電流継電器の接点が反転するまでの第１の動作時間を測定記憶する工程と、
この仮想最小目盛位置より、仮想中央目盛位置にセットすべく所定角度上記調整機構を回動させ、該仮想中央目盛位置において所定の電流を通電し、上記熱動式過電流継電器の接点が反転するまでの第２の動作時間を測定記憶する工程と、
この仮想位置２点における第１及び第２の動作時間の比と、仮想位置２点における最小動作電流の比である定数ｘ及び仮想中央目盛位置における最小動作電流Ｉ０の想定値に基づき得られた値とが、略等しい値となる最小動作電流値を算出する工程と、
この最小動作電流値より、上記熱動式過電流継電器が整定電流に応じた規定の時間及び電流値の範囲内で動作する調整機構の真位置を求める工程と、
新位置を求めた後、調整機構にマーキングする工程と、
を備えたことを特徴とする熱動式過電流継電器の電調方法。
【請求項５】
０点トリップ位置より、仮想目盛位置にセットすべく所定角度上記調整機構を回動する際に、予備試験などから求められた０点トリップ位置と目盛位置の角度差の平均値分、調整機構を回動させることにより仮想目盛位置を設定することを特徴とする請求項４に記載の熱動式過電流継電器の電調方法。
【請求項６】
調整機構にマーキングする際に、レーザ照射或いは液状のインク粒子を飛ばすことにより行うことを特徴とする請求項４または５に記載の熱動式過電流継電器の電調方法。
【請求項７】
仮想位置における動作時間を、製品個々に貼られたバーコード、或いは熱動式過電流継電器の電調用治具に設けられたＩＤカード等の記憶装置に記憶することで、データの受け渡しを行うことを特徴とする請求項４乃至６何れかに記載の熱動式過電流継電器の電調方法。
【請求項８】
仮想最小目盛位置の動作時間測定と仮想中央目盛位置の動作時間測定の間に、調整機構を変化させるための治具が調整機構に固定された状態で移動することを特徴とする請求項４に記載の熱動式過電流継電器の電調方法。
【請求項９】
主回路電流に応動して湾曲するバイメタルと、このバイメタルの変位を伝達する連動板と、連動板より加えられる力で接点の開閉状態を反転させる動作機構部と、接点の開閉状態が反転する位置を調整することができる調整機構を備えた熱動式過電流継電器において、
予め定められた量だけ調整機構を変化させた仮想位置２点で所定の電流を通電し、上記熱動式過電流継電器の接点が反転するまでの動作時間を測定する工程と、この仮想位置２点における動作時間と、予備試験により蓄積したバイメタル及びバイメタルを主回路電流に応じて加熱するヒータ部の抵抗値等のパラメータに基づく基準曲線と、を比較し、対応する基準曲線に上に一致する最小動作電流値を算出する工程と、
この最小動作電流値より、上記熱動式過電流継電器が整定電流に応じた規定の時間及び電流値の範囲内で動作する調整機構の真位置を求める工程と、
を備えたことを特徴とする熱動式過電流継電器の電調方法。
【手続補正２】
【補正対象書類名】明細書
【補正対象項目名】０００７
【補正方法】変更
【補正の内容】
【０００７】
具体的な電調作業の一部として、最小・中央・最大それぞれの目盛における熱動式過電流継電器の最小動作電流をＵＴＣ（Ｕｌｔｉｍａｔｅｌ  Ｔｒｉｐ  Ｃｕｒｒｅｎｔ）と定義すると、ＵＴＣが、整定電流の１０５％から１２０％の範囲に入るように調整しなければならない。
例えば、ヒータ呼び３．６Ａの熱動式過電流継電器の場合、最小目盛のＵＴＣは２．９４Ａから３．３６Ａの範囲に、中央目盛のＵＴＣは３．７８Ａから４．３２Ａの範囲に、最大目盛のＵＴＣは４．６２Ａから５．２８Ａの範囲に入る必要がある。
【手続補正３】
【補正対象書類名】明細書
【補正対象項目名】００１９
【補正方法】変更
【補正の内容】
【００１９】
また、ｌｎ｛１−（ｘＩ０／２ＩＬ）２｝／ｌｎ｛１−（Ｉ０／２ＩＭ）２｝の所定式に基づき得られた値と比較するものである。
【手続補正４】
【補正対象書類名】明細書
【補正対象項目名】００３９
【補正方法】変更
【補正の内容】
【００３９】
一般的に、熱動式過電流継電器の動作特性曲線は、式１で近似できる。
ｔ＝―Ｔ・ｌｎ｛１―（Ｉｕ／Ｉ）２｝        ・・・・・式１
ここで、ｔは動作時間、Ｔは熱時定数、ＩｕはＵＴＣ、Ｉは通電電流である。
仮想最小目盛におけるＵＴＣ値をＩ０’、最小目盛の整定電流値をＩＬ、仮想中央目盛におけるＵＴＣ値をＩ０、中央目盛の整定電流値をＩＭとすると、測定された動作時間ｔ１及びｔ２は、
ｔ１＝―Ｔ・ｌｎ｛１―（Ｉ０’／２ＩＬ）２｝  ・・・・・式２
ｔ２＝―Ｔ・Ｉｎ｛１―（Ｉ０／２ＩＭ）２｝  ・・・・・式３
数２及び数３と表わすことができる。
【手続補正５】
【補正対象書類名】明細書
【補正対象項目名】００４２
【補正方法】変更
【補正の内容】
【００４２】
式１〜７より、仮想最小目盛設定時の動作時間ｔ１と仮想中央目盛設定時の動作時間ｔ２の比は、
ｔ１／ｔ２
＝ｌｎ｛１−（ｘＩ０／２ＩＬ）２｝／ｌｎ｛１−（Ｉ０／２ＩＭ）２｝・・式８
の関係式で示される。
【手続補正６】
【補正対象書類名】明細書
【補正対象項目名】００５４
【補正方法】変更
【補正の内容】
【００５４】
実施の形態５．
本実施の形態は、実施の形態１とは真の目盛位置及び目盛角度の算出方法だけが異なる形態を示すものである。以下に、実施の形態５における真の目盛位置及び目盛角度の算出方法を説明する。
まず、バイメタル２とヒータ３の特性に関わるパラメータ値を管理し、各パラメータ値が変化した場合それぞれにおいて最小目盛及び中央目盛のＵＴＣが整定電流の１１２．５％となるように熱動式過電流継電器を調整したときの基準曲線を作成しデータとして蓄積する。
例えば、図６に示される真の目盛位置を計算するときに用いるデータテーブルの一例のように、基準曲線ａ１（最小目盛）の各パラメータ値は、バイメタル２の抵抗値ａ１０、長さａ２０、・・・ヒータ３の単位導体抵抗ａ６０、そして基準曲線ｂ１（中央目盛）の各パラメータ値は、バイメタル２の抵抗値ｂ１０、長さｂ２０、・・・ヒータ３の単位導体抵抗ｂ６０というように、予め基準曲線データとそれに対応した各パラメータ値を予備試験等を行うことにより蓄積しておく。
また、それぞれの基準曲線に対応したツマミ１１の目盛位置及び目盛角度も同様にデータとして蓄積しておく。
そして、電調を行う際に、バイメタル２やヒータ３のロットが異なる毎に各パラメータ値を測定し、その値を蓄積データと照らし合わせることで、最適な基準曲線のパターンを選択する。
次に、実施の形態１と同様に最小及び中央目盛における動作時間ｔ１及びｔ２を測定する。
この動作時間が、動作曲線上に来るように、図４に示すように基準曲線を平行移動する。
この時、最小目盛の平行移動量ＩｄＬと中央目盛の平行移動量ＩｄＭにより、仮想目盛２点におけるＵＴＣを推定することができる。すなわち、最小目盛のＵＴＣＩ０’及び最大目盛のＵＴＣＩ０は、
Ｉ０’＝１．１２５ＩＬ＋ＩｄＬ・・・・式９
Ｉ０＝１．１２５ＩＭ＋ＩｄＭ・・・・式１０
と表すことができる。